(57)【要約】【課題】使用者が複数の画像表示装置を使用する場合にも、使用履歴を総合的に考慮して健康への影響を低減することが可能な技術を提供することを目的とする。【解決手段】使用管理装置１に接続可能な画像表示装置１０，２０，３０，４０は、使用者を識別する使用者識別部１４，２６，３５，４５と、使用者識別部１４，２６，３５，４５で識別された使用者の使用履歴を示すデータである使用履歴データを使用者毎に作成する制御部１６，２８，３７，４７と、使用履歴データと使用者識別部１４，２６，３５，４５で識別された使用者を特定する情報である使用者情報とを使用管理装置１に送信する通信部１５，２７，３６，４６とを備え、制御部１６，２８，３７，４７は、使用管理装置１からの使用制限に応答する。【選択図】図１
2017130864.tif 000002
【特許請求の範囲】
【請求項１】
使用者を識別する使用者識別部と、前記使用者識別部で識別された前記使用者の使用履歴を示すデータである使用履歴データを前記使用者毎に作成する制御部と、前記使用履歴データと前記使用者識別部で識別された前記使用者を特定する情報である使用者情報とを送信する第１通信部とを有する複数の画像表示装置と、
前記複数の画像表示装置の前記使用履歴データと前記使用者情報とを前記複数の画像表示装置から受信する第２通信部と、前記使用履歴データと前記使用者情報に基づいて当該使用者による使用を制限するように前記複数の画像表示装置を制御する使用制御部とを有する使用管理装置と、
を備える、使用管理システム。
【請求項２】
使用管理装置に接続可能な画像表示装置であって、
前記画像表示装置は、
使用者を識別する使用者識別部と、
前記使用者識別部で識別された前記使用者の使用履歴を示すデータである使用履歴データを前記使用者毎に作成する制御部と、
前記使用履歴データと前記使用者識別部で識別された前記使用者を特定する情報である使用者情報とを前記使用管理装置に送信する通信部と、
を備え、
前記制御部は、前記使用管理装置からの使用制限に応答する、画像表示装置。
【請求項３】
他の画像表示装置に接続可能な画像表示装置であって、
前記画像表示装置は、
使用者を識別する使用者識別部と、
前記使用者識別部で識別された前記使用者の使用履歴を示すデータである使用履歴データを前記使用者毎に作成する制御部と、
前記使用履歴データと前記使用者識別部で識別された前記使用者を特定する情報である使用者情報とを前記他の画像表示装置から受信する通信部と、
前記使用履歴データと前記使用者情報に基づいて当該使用者による使用を制限するように自身または自身を含む前記画像表示装置を制御する使用制御部と、
を備える、画像表示装置。
【請求項４】
前記画像表示装置は、
画像を表示する画像表示部をさらに備え、
前記使用者識別部は、前記画像表示部に前記使用者の選択を行わせるための使用者選択画面を表示させる、請求項２記載の画像表示装置。
【請求項５】
前記使用者識別部は、前記使用者選択画面において、予め登録された前記使用者情報から選択された前記使用者を使用者として識別する、請求項４記載の画像表示装置。
【請求項６】
前記制御部は、前記使用管理装置の指令を受けて、当該使用者による使用を制限するように自身が含まれる前記画像表示装置を制御する、請求項２、請求項４または請求項５記載の画像表示装置。
【請求項７】
複数の画像表示装置に接続可能な使用管理装置であって、
前記使用管理装置は、
前記複数の画像表示装置の使用者の使用履歴を示すデータである使用履歴データと前記使用者を特定する情報である使用者情報とを前記複数の画像表示装置から受信する通信部と、
前記使用履歴データと前記使用者情報に基づいて当該使用者による使用を制限するように前記複数の画像表示装置を制御する使用制御部と、
を備える、使用管理装置。
【請求項８】
前記使用管理装置は、前記通信部で受信された前記使用履歴データと前記使用者情報とを記憶する使用履歴記憶部をさらに備える、請求項７記載の使用管理装置。
【請求項９】
使用管理装置に接続可能な画像表示装置のプログラムであって、
（ａ）使用者を識別するステップと、
（ｂ）前記ステップ（ａ）で識別された前記使用者の使用履歴を示すデータである使用履歴データを前記使用者毎に作成するステップと、
（ｃ）前記使用履歴データと前記ステップ（ａ）で識別された前記使用者を特定する情報である使用者情報とを前記使用管理装置に送信するステップと、
（ｄ）前記使用管理装置からの使用制限に応答するステップと、
を前記画像表示装置に備わるコンピュータに実行させる、画像表示装置のプログラム。
【請求項１０】
他の画像表示装置に接続可能な画像表示装置のプログラムであって、
（ｅ）使用者を識別するステップと、
（ｆ）前記ステップ（ｅ）で識別された前記使用者の使用履歴を示すデータである使用履歴データを前記使用者毎に作成するステップと、
（ｇ）前記使用履歴データと前記ステップ（ｅ）で識別された前記使用者を特定する情報である使用者情報とを前記他の画像表示装置から受信するステップと、
（ｈ）前記使用履歴データと前記使用者情報に基づいて当該使用者による使用を制限するように自身または自身を含む前記画像表示装置を制御するステップと、
を前記画像表示装置に備わるコンピュータに実行させる、画像表示装置のプログラム。
【発明の詳細な説明】
【技術分野】
【０００１】
本発明は、使用者の過度の視聴による視力または聴力の疲労を防止する技術に関するものである。
【背景技術】
【０００２】
近年、テレビ、パソコン、またはスマートフォンなどの画像表示装置が広く普及している。そのため、使用者は、家庭ではテレビを視聴したり、ゲーム機の画像をテレビに出力させてゲームを行ったりしている。また、使用者は、職場ではパソコンの画面を見て仕事を行ったり、通学または通勤途中ではスマートフォンを使用したりしている。このように、使用者は１日の多くの時間にわたってそれらの画像表示装置を使用している。
【０００３】
使用者が画像表示装置を長時間にわたって視聴または使用している場合に、目または耳に肉体的または精神的な影響を及ぼすことが無視できなくなっており、こうした影響を軽減するための技術が提案されている。
【０００４】
例えば、視聴者とテレビの画面との距離または部屋の明るさなどの状況に応じて自動的に画像の表示を許可する時間の修正を行い、視聴者の視力への影響を少なくすることが可能なテレビジョンが提案されている（例えば特許文献１参照）。
【０００５】
また、ゲームを開始してからの時間を計時し、ゲームを始める前に予め設定された使用時間が経過するとゲームを強制的に終了させると同時に、ゲーム終了前のゲーム内容を保存することが可能で、ゲームを再開するときに最初からやり直す必要がない技術が提案されている（例えば特許文献２参照）。
【０００６】
また、連続使用時間による使用制限だけではなく、健康に与える様々な要因を考慮して使用者の健康管理を行う技術が提案されている（例えば特許文献３参照）。
【先行技術文献】
【特許文献】
【０００７】
【特許文献１】特開２００７−２２８４７５号公報
【特許文献２】特開平８−１３１６５２号公報
【特許文献３】特開２００９−１７９２１号公報
【発明の概要】
【発明が解決しようとする課題】
【０００８】
しかしながら、特許文献１〜３に記載された従来の技術では、使用者が現在使用している画像表示装置１台による使用制限のみであった。例えば、使用者は、１日にわたって、通勤時のスマートフォン使用、仕事中のパソコン使用、および自宅でのテレビ視聴など、複数の画像表示装置を使用することが一般的である。そのため、たとえ１台の画像表示装置による使用制限を行っても、総合的にはその他の画像表示装置を使用したことによる健康への影響があった。
【０００９】
そこで、本発明は、使用者が複数の画像表示装置を使用する場合にも、使用履歴を総合的に考慮して健康への影響を低減することが可能な技術を提供することを目的とする。
【課題を解決するための手段】
【００１０】
本発明に係る使用管理システムは、使用者を識別する使用者識別部と、前記使用者識別部で識別された前記使用者の使用履歴を示すデータである使用履歴データを前記使用者毎に作成する制御部と、前記使用履歴データと前記使用者識別部で識別された前記使用者を特定する情報である使用者情報とを送信する第１通信部とを有する複数の画像表示装置と、前記複数の画像表示装置の前記使用履歴データと前記使用者情報とを前記複数の画像表示装置から受信する第２通信部と、前記使用履歴データと前記使用者情報に基づいて当該使用者による使用を制限するように前記複数の画像表示装置を制御する使用制御部とを有する使用管理装置とを備えるものである。
【発明の効果】
【００１１】
本発明によれば、複数の画像表示装置は、第１通信部から使用履歴データと使用者情報とを送信し、使用管理装置は、第２通信部により使用履歴データと使用者情報とを受信し、使用制御部により使用履歴データと使用者情報に基づいて当該使用者による使用を制限するように複数の画像表示装置を制御する。
【００１２】
したがって、１台の画像表示装置による使用制限だけではなく、使用者が複数の画像表示装置を使用する場合でも、使用履歴を総合的に考慮して健康への影響を低減することができる。
【図面の簡単な説明】
【００１３】
【図１】実施の形態１に係る使用管理システムの構成図である。
【図２】画像表示装置の使用履歴データに関する動作を示すフローチャートである。
【図３】画像表示装置の使用者選択画面の表示例を示す図である。
【図４】画像表示装置（デジタル放送受信表示装置）の使用履歴データの例を示す図である。
【図５】画像表示装置（携帯通信装置）の使用履歴データの例を示す図である。
【図６】画像表示装置の使用者情報の例を示す図である。
【図７】使用管理装置の動作を示すフローチャートである。
【図８】使用管理装置のハードウェア構成の例を示す図である。
【図９】使用管理装置のハードウェア構成の例を示す図である。
【図１０】画像表示装置のハードウェア構成の例を示す図である。
【図１１】画像表示装置のハードウェア構成の例を示す図である。
【図１２】実施の形態２に係る使用管理システムの構成図である。
【図１３】実施の形態２に係る画像表示装置の動作を示すフローチャートである。
【発明を実施するための形態】
【００１４】
＜実施の形態１＞
本発明の実施の形態１について、図面を用いて以下に説明する。なお、ここで示す実施の形態は一例であり、本発明はここに示す実施の形態に限定されるものではない。図１は、実施の形態１に係る使用管理システムの構成図である。
【００１５】
図１に示すように、使用管理システムは、複数の画像表示装置１０，２０，３０，４０と使用管理装置１とを備えている。画像表示装置１０は、デジタル放送受信表示装置である。画像表示装置１０は、デジタル放送受信部１１と、受信した放送の画像を表示する画像表示部１２と、音声を出力する音声出力部１３と、使用者を識別する使用者識別部１４と、他の装置との通信を行う通信部１５（第１通信部）と、画像表示装置１０全体を制御する制御部１６とを有する。
【００１６】
また、制御部１６は、使用者識別部１４で識別された使用者の使用履歴を示すデータである使用履歴データを使用者毎に作成する。通信部１５は、使用履歴データと使用者識別部１４で識別された使用者を特定する情報である使用者情報とを使用管理装置１に送信する。
【００１７】
画像表示装置２０は、デジタル放送を受信し記録と再生を行う画像記録再生装置である。画像表示装置２０は、デジタル放送受信部２１と、受信した放送を記憶する記憶部２２と、記憶した放送の画像を再生する再生部２３と、画像を表示する画像表示部２４と、音声を出力する音声出力部２５と、使用者を識別する使用者識別部２６と、他の装置との通信を行う通信部２７（第１通信部）と、画像表示装置２０全体を制御する制御部２８とを有する。
【００１８】
また、制御部２８は、使用者識別部２６で識別された使用者の使用履歴を示すデータである使用履歴データを使用者毎に作成する。通信部２７は、使用履歴データと使用者識別部２６で識別された使用者を特定する情報である使用者情報とを使用管理装置１に送信する。
【００１９】
画像表示装置３０は、パーソナルコンピュータなどの情報処理装置である。画像表示装置３０は、キーボードまたはマウスなどの入力部３１と、画像または映像を表示する画像表示部３２と、音声を出力する音声出力部３３と、データを記憶する記憶部３４と、使用者を識別する使用者識別部３５と、他の装置との通信を行う通信部３６（第１通信部）と、データを処理するとともに画像表示装置３０全体を制御する制御部３７とを有する。
【００２０】
また、制御部３７は、使用者識別部３５で識別された使用者の使用履歴を示すデータである使用履歴データを使用者毎に作成する。通信部３６は、使用履歴データと使用者識別部３５で識別された使用者を特定する情報である使用者情報とを使用管理装置１に送信する。
【００２１】
画像表示装置４０は、携帯電話機またはスマートフォンなどの携帯通信装置である。画像表示装置４０は、ボタンまたはタッチパネルなどの入力部４１と、画像を表示する画像表示部４２と、音声を出力する音声出力部４３と、データを記憶する記憶部４４と、使用者を識別する使用者識別部４５と、他の装置との通信を行う通信部４６（第１通信部）と、画像表示装置４０全体を制御する制御部４７とを有する。
【００２２】
また、制御部４７は、使用者識別部４５で識別された使用者の使用履歴を示すデータである使用履歴データを使用者毎に作成する。通信部４６は、使用履歴データと使用者識別部４５で識別された使用者を特定する情報である使用者情報とを使用管理装置１に送信する。
【００２３】
使用管理装置１は、使用履歴記憶部３と、使用制御部４と、通信部２（第２通信部）とを有する。通信部２は、通信網５に接続された複数の画像表示装置１０，２０，３０，４０の使用履歴データと使用者情報とを複数の画像表示装置１０，２０，３０，４０から受信する。ここで、通信網５とは、有線または無線のインターネットまたは電話の通信回線などである。使用履歴記憶部３は、通信部２で受信された使用履歴データと使用者情報とを記憶する。使用制御部４は、使用管理装置１全体を制御するとともに、使用履歴データと使用者情報に基づいて当該使用者による使用を制限するように複数の画像表示装置１０，２０，３０，４０を制御する。
【００２４】
次に、画像表示装置１０，２０，３０，４０の使用履歴データに関する動作を説明する。使用履歴データに関する動作は、画像表示装置１０，２０，３０，４０ともに共通であるため、ここでは、画像表示装置１０の場合について説明する。図２は、画像表示装置１０の使用履歴データに関する動作を示すフローチャートであり、図３は、画像表示装置１０の使用者選択画面の表示例を示す図である。
【００２５】
画像表示装置１０の電源がオンされると、制御部１６は、図３に示すように、画像表示部１２に使用者の選択を行わせるための使用者選択画面を表示させる。使用者が使用者選択画面上で該当の使用者（例えば、使用者Ａ）を選択することで、使用者識別部１４は当該使用者を識別する（ステップＳ１）。
【００２６】
次に、制御部１６は、画像表示部１２に放送番組を表示させて視聴を開始させる（ステップＳ２）。視聴中において、制御部１６は、使用履歴データを使用者毎に蓄積して作成する（ステップＳ３）。画像表示装置１０は、例えば使用履歴データを記憶するための記憶部を備えている。また、画像表示装置２０，３０，４０は、例えば記憶部２２，３４，４４に使用履歴データを記憶する。視聴が終了すると（ステップＳ４）、制御部１６は、通信部１５を制御して、使用履歴データと使用者識別部１４で識別された使用者情報とを使用管理装置１へ送信させる。
【００２７】
データ送信後、制御部１６は、他の使用者の有無を確認して（ステップＳ６）、他の使用者があれば（ステップＳ６においてＮｏ）、ステップＳ１の処理へ移行させる。他方、他の使用者がない場合（ステップＳ６においてＹｅｓ）、制御部１６は、画像表示装置１０の電源をオフし（ステップＳ７）、処理を終了する。ここで、制御部１６は、例えば使用者が使用者選択画面を表示させるための操作を行った場合に他の使用者があると判断し、当該操作を行わなかった場合に他の使用者がないと判断する。
【００２８】
次に、デジタル放送受信表示装置である画像表示装置２０の使用履歴データについて説明する。図４は、画像表示装置２０の使用履歴データの例を示す図である。使用履歴データは、使用者名、使用開始日時、使用終了日時、視聴内容、画面輝度、画面輝度変化量、音声レベル、音声の周波数、および音声周波数変化量などを含んでいる。ここで、画面輝度、画面輝度変化量、音声レベル、音声の周波数、および音声周波数変化量は、画像表示装置２０が使用者の視聴中に一定時間間隔でサンプリングを行い、サンプリング値の総和を視聴した時間で平均化した数値である。
【００２９】
次に、スマートフォンなどの携帯通信装置である画像表示装置４０の使用履歴データについて説明する。図５は、画像表示装置４０の使用履歴データの例を示す図である。使用者は、携帯電話の電話番号を使用者情報として使用している。使用履歴データは、使用者ＩＤ（使用者情報）、使用開始日時、使用終了日時、および使用内容などを含んでいる。
【００３０】
次に、使用者の使用する複数の画像表示機器１０，２０，３０，４０を関連付ける使用者情報について説明する。図６は、画像表示装置１０，２０，３０，４０の使用者情報の例を示す図である。使用者毎に、例えば、デジタル放送受信表示装置である画像表示装置１０では使用者登録名、画像記録再生装置である画像表示装置２０ではユーザ名、情報処理装置である画像表示装置３０は使用者ＩＤ、携帯電話機またはスマートフォンなどの携帯通信装置である画像表示装置４０では電話番号が使用者情報として使用される。このように、使用者毎に予め使用する複数の画像表示装置１０，２０，３０，４０の使用者情報がそれぞれの画像表示装置に記憶されている。
【００３１】
次に、使用管理装置１の動作について説明する。図７は、使用管理装置１の動作を示すフローチャートである。使用管理装置１の電源がオンされると、使用制御部４は、通信部２を制御して、画像表示装置１０，２０，３０，４０から送信された使用履歴データと使用者情報とを受信させて（ステップＳ１１）、使用履歴記憶部３に使用者毎に使用履歴データを記憶させる（ステップＳ１２）。使用制御部４は、使用者の使用制限条件と、使用履歴データとを比較して使用制限条件を超えたか否かを判断する（ステップＳ１３）。使用制限条件を超えていない場合（ステップＳ１３においてＮｏ）、当該使用者による画像表示装置１０，２０，３０，４０の使用の継続が可であると判断され、使用制御部４は処理をステップＳ１１へ移行させる。
【００３２】
なお、画像表示装置１０，２０，３０，４０は、例えば１日分の自身の使用履歴データをそれぞれ記憶することで、ステップＳ１１において受信した使用履歴データと使用者情報とを、ステップＳ１２において使用履歴記憶部３に記憶させずに、ステップＳ１３の処理を行うことも可能である。この場合、使用履歴記憶部３を省略できるため、使用管理装置１の構成を簡単にすることができる。
【００３３】
ここで、使用者の使用制限条件とは、例えば使用者によって設定された画像表示装置１０，２０，３０，４０の使用を制限するための条件である。使用者の使用制限条件として、使用者の健康を損なわない条件が例えば使用者によって予め使用管理装置１（例えば、使用履歴記憶部３）に記憶されている。
【００３４】
使用制限条件は、使用者によって予め設定されており、例えば、１日あたりの使用時間を８時間以下、または１日あたりの使用回数を１０回以下などに設定されている。また、使用制御部４は、使用履歴データに基づいて使用者の健康を損なわないように健康指数を計算し、使用制限条件として用いることも可能である。
【００３５】
使用制御部４が健康指数を計算する方法について説明する。使用制御部４は、次式を用いて健康指数を計算し、健康指数のスコアが例えばレベル７を超えている場合に使用制限条件を超えていると判断する。
【００３６】
健康指数  ＝  健康指数関数 Ｆ［使用履歴データ］
なお、健康指数はレベル１（良）〜レベル１０（悪）まである。
【００３７】
使用履歴データとして、例えば、開始時刻、終了時刻、画面輝度、画面輝度変化量、音量レベル、音声の周波数、または音声周波数変化量などが使用される。使用制御部４は、これらの使用履歴データをサンプリングして、このサンプリング値から使用時間中の平均値を求める。例えば、開始時刻と終了時刻からは１日の累積使用時間が計算される。画面輝度からは、視聴時間中の平均画面輝度が計算される。画面輝度変化量からは、視聴時間中の平均画面輝度変化量が計算される。音量レベルからは、視聴時間中の平均音声レベルが計算される。音声の周波数からは、視聴時間中の平均音声周波数が計算される。音声周波数変化量からは、視聴時間中の平均音声周波数変化量が計算される。
【００３８】
使用制御部４は、得られた各値に重み付けを行い総合的な健康指数を計算し、使用者によって予め設定された使用制限条件と比較を行う。使用制御部４は、使用者によって予め設定された使用制限条件を超えていない場合でも、健康指数のスコアがレベル７を超えている場合に使用制限条件を超えていると判断する。
【００３９】
他方、使用制限条件を超えている場合は（ステップＳ１３においてＹｅｓ）、当該使用者による画像表示装置１０，２０，３０，４０の使用の継続が不可であると判断される。この場合は当該使用者による使用を休止する必要があることから、使用制御部４は、画像表示装置１０，２０，３０，４０へ使用の休止を促すためのテロップ表示または音声出力を行うように画像表示装置１０，２０，３０，４０に指令する（ステップＳ１４）。
【００４０】
次に、使用制御部４は、使用の休止を指令した画像表示装置１０，２０，３０，４０の電源がオフになっているか否かを確認する（ステップＳ１５）。すなわち、使用制御部４は、テロップ表示または音声出力を受けて、使用者により画像表示装置１０，２０，３０，４０の電源が全てオフにされたか否かを確認する。電源がオフになっている場合（ステップＳ１５においてＹｅｓ）、使用制御部４は、使用履歴をリセットし（ステップＳ１９）、処理を終了する。ここで、使用履歴のリセットとは、使用履歴記憶部３に記憶された使用履歴データの消去または使用履歴を０にすることをいう。
【００４１】
他方、電源がオフになっていない場合（ステップＳ１５においてＮｏ）、すなわち、画像表示装置１０，２０，３０，４０のうちの１つでも電源がオフになっていない場合は、使用制御部４は、強制的に電源をオフする旨の警告についてテロップ表示または音声出力を行うように画像表示装置１０，２０，３０，４０に指令する（ステップＳ１６）。
【００４２】
次に、使用制御部４は、使用の休止を指令した画像表示装置１０，２０，３０，４０の電源がオフになっているか否かを確認する（ステップＳ１７）。すなわち、使用制御部４は、テロップ表示または音声出力を受けて、使用者により画像表示装置１０，２０，３０，４０の電源が全てオフにされたか否かを確認する。電源がオフになっている場合（ステップＳ１７においてＹｅｓ）、使用制御部４は、使用履歴をリセットし（ステップＳ１９）、処理を終了する。
【００４３】
他方、電源がオフになっていない場合（ステップＳ１７においてＮｏ）、すなわち、画像表示装置１０，２０，３０，４０のうちの１つでも電源がオフになっていない場合は、使用制御部４は、強制的に電源をオフするように画像表示装置１０，２０，３０，４０のうちの電源がオフになっていない画像表示装置に指令する（ステップＳ１８）。画像表示装置１０，２０，３０，４０の各制御部１６，２８，３７，４７は、使用管理装置１からの使用制限に応答する。より具体的には、画像表示装置１０，２０，３０，４０のうちの電源がオフになっていない画像表示装置の制御部は、使用制御部４の指令を受けて、当該画像表示装置の電源を強制的にオフする。次に、使用制御部４は、使用履歴をリセットし（ステップＳ１９）、処理を終了する。
【００４４】
以上のように、実施の形態１に係る使用管理システムでは、複数の画像表示装置１０，２０，３０，４０は、通信部１５，２７，３６，４６から使用履歴データと使用者情報とを送信し、使用管理装置１は、通信部２により使用履歴データと使用者情報とを受信し、使用制御部４により使用履歴データと使用者情報に基づいて当該使用者による使用を制限するように複数の画像表示装置１０，２０，３０，４０を制御する。
【００４５】
したがって、１台の画像表示装置による使用制限だけではなく、使用者が複数の画像表示装置１０，２０，３０，４０を使用する場合でも、使用履歴を総合的に考慮して健康への影響を低減することができる。
【００４６】
使用管理装置は、通信部２で受信された使用履歴データと使用者情報とを記憶する使用履歴記憶部３をさらに備える。したがって、画像表示装置１０，２０，３０，４０から送信された使用履歴データと使用者情報とを使用履歴記憶部３に記憶しておくことで、画像表示装置１０，２０，３０，４０は使用履歴データを記憶するための記憶部を備える必要がなく、この場合、画像表示装置１０，２０，３０，４０の構成を簡単にすることができる。
【００４７】
各画像表示装置１０，２０，３０，４０は、画像を表示する画像表示部１２，２４，３２，４２をさらに備え、使用者識別部１４，２６，３５，４５は、画像表示部１２，２４，３２，４２に使用者の選択を行わせるための使用者選択画面を表示させるため、使用者は使用者選択画面を見ながら容易に使用者の選択を行うことができる。
【００４８】
また、使用者識別部１４，２６，３５，４５は、使用者選択画面において、予め登録された使用者情報から選択された使用者を使用者として識別するため、使用者は容易に使用者の選択を行うことができる。
【００４９】
制御部１６，２８，３７，４７は、使用管理装置１（より具体的には、使用制御部４）の指令を受けて、当該使用者による使用を制限するように自身が含まれる画像表示装置１０，２０，３０，４０を制御するため、使用制御部４の制御負担が軽減される。
【００５０】
使用管理装置１に接続可能な画像表示装置１０，２０，３０，４０は、使用者を識別する使用者識別部１４，２６，３５，４５と、使用者識別部１４，２６，３５，４５で識別された使用者の使用履歴を示すデータである使用履歴データを使用者毎に作成する制御部１６，２８，３７，４７と、使用履歴データと使用者識別部１４，２６，３５，４５で識別された使用者を特定する情報である使用者情報とを使用管理装置１に送信する通信部１５，２７，３６，４６とを備え、制御部１６，２８，３７，４７は、使用管理装置１からの使用制限に応答する。
【００５１】
また、複数の画像表示装置１０，２０，３０，４０に接続可能な使用管理装置１は、複数の画像表示装置１０，２０，３０，４０の使用履歴データと使用者情報とを複数の画像表示装置１０，２０，３０，４０から受信する通信部２と、使用履歴データと使用者情報に基づいて当該使用者による使用を制限するように複数の画像表示装置１０，２０，３０，４０を制御する使用制御部４とを備える。
【００５２】
したがって、１台の画像表示装置による使用制限だけではなく、使用者が複数の画像表示装置１０，２０，３０，４０を使用する場合でも、使用履歴を総合的に考慮して健康への影響を低減することができる。
【００５３】
なお、本実施の形態では、使用管理装置１としてネットワークに接続された１台のサーバを想定したが、使用管理装置１は複数台にて構成してもよい、これは使用履歴データの作成において、使用状況が複数の画像表示装置に記憶されている場合があり、さらに広範囲に総合的に使用者への健康への影響を少なくすることができる。
【００５４】
また、使用管理装置１として、インターネットで接続されたサーバであると想定したが、家庭に設置されるＨＥＭＳコントローラであってもよい。さらに、インターネットを介してＨＥＭＳコントローラが接続されるサーバであってもよい。
【００５５】
次に、図８〜図１１を用いて、使用管理装置１および画像表示装置１０，２０，３０，４０のハードウェア構成について説明する。
【００５６】
図８および図９は、使用管理装置１のハードウェア構成の例を示す図であり、図１０および図１１は、画像表示装置１０，２０，３０，４０のハードウェア構成の例を示す図である。図１に示した使用管理装置１の各要素（使用履歴記憶部３および使用制御部４）は、例えば図８に示す処理回路６１により実現される。すなわち、処理回路６１は、使用履歴データと使用者情報に基づいて当該使用者による使用を制限するように複数の画像表示装置１０，２０，３０，４０を制御する使用制御部４を備える。また、処理回路６１内のメモリによって、通信部２で受信された使用履歴データと使用者情報とを記憶する使用履歴記憶部３が実現される。また、通信部２は、送受信装置６０により実現される。
【００５７】
これと同様に、図１に示した画像表示装置１０，２０，３０，４０の各要素（使用者識別部１４，２６，３５，４５、制御部１６，２８，３７，４７、再生部２３、記憶部２２，３４，４４、入力部３１，４１）は、例えば図１０に示す処理回路７１により実現される。すなわち、処理回路７１は、使用者を識別する使用者識別部１４，２６，３５，４５と、使用者識別部１４，２６，３５，４５で識別された使用者の使用履歴を示すデータである使用履歴データを使用者毎に作成する制御部１６，２８，３７，４７と、再生部２３と、入力部３１，４１とを備える。また、処理回路７１内のメモリによって、記憶部２２，３４，４４が実現される。また、通信部１５，２７，３６，４６およびデジタル放送受信部１１，２１は、送受信装置７０により実現されている。さらに、画像表示部１２，２４，３２，４２はディスプレイ７２により実現され、音声出力部１３，２５，３３，４３はスピーカ７３により実現される。
【００５８】
処理回路６１，７１には、専用のハードウェアが採用されてもよいし、メモリに格納されるプログラムを実行するプロセッサ（Central Processing Unit、中央処理装置、処理装置、演算装置、マイクロプロセッサ、マイクロコンピュータ、またはDigital Signal Processor）が採用されてもよい。
【００５９】
処理回路６１，７１が専用のハードウェアである場合、処理回路６１，７１は、例えば、単一回路、複合回路、プログラム化したプロセッサ、並列プログラム化したプロセッサ、ＡＳＩＣ、ＦＰＧＡ、またはこれらを組み合わせたものなどが該当する。使用管理装置１の各要素の機能のそれぞれは、複数の処理回路６１で実現されてもよいし、それらの機能がまとめて１つの処理回路６１で実現されてもよい。画像表示装置１０，２０，３０，４０の各要素の機能のそれぞれは、複数の処理回路７１で実現されてもよいし、それらの機能がまとめて１つの処理回路７１で実現されてもよい。
【００６０】
図９は、処理回路６１がプロセッサ６３を用いて構成されている場合における使用管理装置１のハードウェア構成を示している。この場合、使用管理装置１の各要素の機能は、ソフトウェア等（ソフトウェア、ファームウェア、またはソフトウェアとファームウェア）との組み合わせにより実現される。ソフトウェア等はプログラムとして記述され、メモリ６４に格納される。処理回路６１としてのプロセッサ６３は、メモリ６４に記憶されたプログラムを読み出して実行することにより、各部の機能を実現する。すなわち、使用管理装置１は、プロセッサ６３により実行されるときに、複数の画像表示装置１０，２０，３０，４０の使用履歴データと使用者情報とを複数の画像表示装置１０，２０，３０，４０から受信するステップと、使用履歴データと使用者情報に基づいて当該使用者による使用を制限するように複数の画像表示装置１０，２０，３０，４０を制御するステップとが結果的に実行されることになるプログラムを格納するためのメモリ６４を備える。換言すれば、このプログラムは、使用管理装置１の各要素の動作の手順または方法をコンピュータに実行させるものであるともいえる。
【００６１】
図１１は、処理回路７１がプロセッサ７４を用いて構成されている場合における画像表示装置１０，２０，３０，４０のハードウェア構成を示している。この場合、画像表示装置１０，２０，３０，４０の各要素の機能は、ソフトウェア等（ソフトウェア、ファームウェア、またはソフトウェアとファームウェア）との組み合わせにより実現される。ソフトウェア等はプログラムとして記述され、メモリ７５に格納される。処理回路７１としてのプロセッサ７４は、メモリ７５に記憶されたプログラムを読み出して実行することにより、各部の機能を実現する。すなわち、画像表示装置１０，２０，３０，４０は、プロセッサ７４により実行されるときに、使用者を識別するステップと、識別された使用者の使用履歴を示すデータである使用履歴データを使用者毎に作成するステップと、使用履歴データと、識別された使用者を特定する情報である使用者情報とを使用管理装置１に送信するステップと、使用管理装置１からの使用制限に応答するステップとが結果的に実行されることになるプログラムを格納するためのメモリ７５を備える。換言すれば、このプログラムは、画像表示装置１０，２０，３０，４０の各要素の動作の手順または方法をコンピュータに実行させるものであるともいえる。
【００６２】
ここで、メモリ６４，７５には、例えば、ＲＡＭ（Random Access Memory）、ＲＯＭ（Read Only Memory）、フラッシュメモリー、ＥＰＲＯＭ（Erasable Programmable Read Only Memory）、ＥＥＰＲＯＭ（Electrically Erasable Programmable Read Only Memory）などの、不揮発性または揮発性の半導体メモリ、ＨＤＤ（Hard Disk Drive）、磁気ディスク、フレキシブルディスク、光ディスク、コンパクトディスク、ミニディスク、ＤＶＤ（Digital Versatile Disc）およびそのドライブ装置等が該当する。また、使用管理装置１の要素のうち、使用履歴記憶部３は、メモリ６４によって構成される。さらに、画像表示装置１０，２０，３０，４０の要素のうち、記憶部２２，３４，４４は、メモリ７５によって構成される。
【００６３】
以上、使用管理装置１および画像表示装置１０，２０，３０，４０の各要素の機能が、ハードウェアおよびソフトウェア等のいずれか一方で実現される構成について説明した。しかしこれに限ったものではなく、使用管理装置１および画像表示装置１０，２０，３０，４０の要素の一部を専用のハードウェアで実現し、別の一部をソフトウェア等で実現する構成であってもよい。すなわち、処理回路６１，７１は、ハードウェア、ソフトウェア等、またはこれらの組み合わせによって、上述の各機能を実現することができる。
【００６４】
＜実施の形態２＞
次に、実施の形態２に係る使用管理システムについて説明する。図１２は、実施の形態２に係る使用管理システムの構成図であり、図１３は、画像表示装置２０，３０，４０，５０の動作を示すフローチャートである。なお、実施の形態２において、実施の形態１で説明したものと同一の構成要素については同一符号を付して説明は省略する。
【００６５】
実施の形態１では、使用履歴記憶部３と使用制御部４を画像表示装置とは別の使用管理装置１に設けたが、いずれかの画像表示装置内に設けてもよい。そこで、実施の形態２においては、使用履歴記憶部３と使用制御部４とを有する使用管理部５１を複数の画像表示装置の１つに設けた実施の形態を示す。
【００６６】
図１２に示すように、使用管理システムは、画像表示装置２０，３０，４０，５０を備えている。さらに、デジタル放送受信表示装置である画像表示装置５０は、使用履歴記憶部３と使用制御部４とを有する使用管理部５１を備えている。そのため、使用管理システムは使用管理装置を備えていない。
【００６７】
次に、画像表示装置２０，３０，４０，５０の動作を説明する。図１３は、実施の形態２に係る画像表示装置の動作を示すフローチャートである。なお、画像表示装置２０，３０，４０，５０の使用履歴データに関する動作は、使用者情報と使用履歴データの送信先が画像表示装置５０となる以外はほぼ図２と同様であるため説明を省略する。
【００６８】
画像表示装置２０，３０，４０，５０の電源がオンされると、使用履歴記憶部３と使用制御部４とを備えた画像表示装置５０ではない場合（ステップＳ２１においてＮｏ）、画像表示装置２０，３０，４０であると判断される。ここで、使用制限に関する動作は、画像表示装置２０，３０，４０ともに共通であるため、ここでは、画像表示装置１０の場合について説明する。
【００６９】
制御部２８は、通信部２７を制御して、画像表示装置５０から使用履歴記憶部３に記憶された使用履歴データと使用者情報とを受信させて（ステップＳ２１）、使用履歴記憶部としての記憶部２２に使用者毎に使用履歴データを記憶させる（ステップＳ２３）。制御部２８は、使用者の使用制限条件と、使用履歴データとを比較して使用制限条件を超えたか否かを判断する（ステップＳ２４）。使用制限条件を超えていない場合（ステップＳ２４においてＮｏ）、当該使用者による画像表示装置２０の使用の継続が可であると判断され、制御部２８は処理をステップＳ２２へ移行させる。
【００７０】
他方、使用制限条件を超えている場合は（ステップＳ２４においてＹｅｓ）、当該使用者による画像表示装置２０の使用の継続が不可であると判断される。この場合は当該使用者による使用を休止する必要があることから、制御部２８は、画像表示装置２０の使用の休止を促すためのテロップ表示または音声出力を画像表示部２４または音声出力部２５に行わせる（ステップＳ２５）。
【００７１】
次に、制御部２８は、使用の休止を促した画像表示装置２０の電源がオフになっているか否かを確認する（ステップＳ２６）。すなわち、制御部２８は、テロップ表示または音声出力を受けて、使用者により画像表示装置２０の電源がオフにされたか否かを確認する。電源がオフになっている場合（ステップＳ２６においてＹｅｓ）、制御部２８は、記憶部２２に記憶されている使用履歴データの使用履歴をリセットし（ステップＳ３０）、処理を終了する。
【００７２】
他方、電源がオフになっていない場合（ステップＳ２６においてＮｏ）、制御部２８は、強制的に電源をオフする旨の警告についてテロップ表示または音声出力を画像表示部２４または音声出力部２５に行わせる（ステップＳ２７）。
【００７３】
次に、制御部２８は、使用の休止を促した画像表示装置２０の電源がオフになっているか否かを確認する（ステップＳ２８）。すなわち、制御部２８は、テロップ表示または音声出力を受けて、使用者により画像表示装置２０の電源がオフにされたか否かを確認する。電源がオフになっている場合（ステップＳ２８においてＹｅｓ）、制御部２８は、記憶部２２に記憶されている使用履歴データの使用履歴をリセットし（ステップＳ３０）、処理を終了する。
【００７４】
他方、電源がオフになっていない場合（ステップＳ２８においてＮｏ）、制御部２８は、強制的に電源をオフする（ステップＳ２９）。次に、制御部２８は、記憶部２２に記憶されている使用履歴データの使用履歴をリセットし（ステップＳ３０）、処理を終了する。
【００７５】
次に、使用履歴記憶部３と使用制御部４とを備えた画像表示装置５０である場合（ステップＳ２１においてＹｅｓ）、使用者の使用履歴データを読み込み（ステップＳ３１）、使用履歴記憶部３に使用者毎に使用履歴データを記憶させる（ステップＳ３２）。使用制御部４は、使用者の使用制限条件と、使用履歴データとを比較して使用制限条件を超えたか否かを判断する（ステップＳ３３）。使用制限条件を超えていない場合（ステップＳ３３においてＮｏ）、当該使用者による画像表示装置５０の使用の継続が可であると判断され、使用制御部４は処理をステップＳ３１へ移行させる。
【００７６】
他方、使用制限条件を超えている場合は（ステップＳ３３においてＹｅｓ）、当該使用者による画像表示装置５０の使用の継続が不可であると判断される。この場合は当該使用者による使用を休止する必要があることから、使用制御部４は、画像表示装置５０の使用の休止を促すためのテロップ表示または音声出力を画像表示部１２または音声出力部１３に行わせる（ステップＳ３４）。
【００７７】
次に、使用制御部４は、使用の休止を促した画像表示装置５０の電源がオフになっているか否かを確認する（ステップＳ３５）。すなわち、使用制御部４は、テロップ表示または音声出力を受けて、使用者により画像表示装置５０の電源がオフにされたか否かを確認する。電源がオフになっている場合（ステップＳ３５においてＹｅｓ）、使用制御部４は、記憶部２２に記憶されている使用履歴データの使用履歴をリセットし（ステップＳ３９）、処理を終了する。
【００７８】
他方、電源がオフになっていない場合（ステップＳ３５においてＮｏ）、使用制御部４は、強制的に電源をオフする旨の警告についてテロップ表示または音声出力を画像表示部１２または音声出力部１３に行わせる（ステップＳ３６）。
【００７９】
次に、使用制御部４は、使用の休止を促した画像表示装置５０の電源がオフになっているか否かを確認する（ステップＳ３７）。すなわち、使用制御部４は、テロップ表示または音声出力を受けて、使用者により画像表示装置５０の電源がオフにされたか否かを確認する。電源がオフになっている場合（ステップＳ３７においてＹｅｓ）、使用制御部４は、使用履歴記憶部３に記憶されている使用履歴データの使用履歴をリセットし（ステップＳ３９）、処理を終了する。
【００８０】
他方、電源がオフになっていない場合（ステップＳ３７においてＮｏ）、使用制御部４は、強制的に電源をオフする（ステップＳ３８）。次に、使用制御部４は、使用履歴記憶部３に記憶されている使用履歴データの使用履歴をリセットし（ステップＳ３９）、処理を終了する。以上のように、実施の形態２においては、画像表示装置５０が各画像表示装置２０，３０，４０を使用制限するのではなく、各画像表示装置２０，３０，４０，５０がそれぞれを使用制限する。
【００８１】
なお、上記では、使用制限条件を超えた場合に、画像表示装置５０は、自身のみを使用制限の対象としたが、実施の形態１の場合と同様に、自身に加えて他の画像表示装置２０，３０，４０についても使用制限の対象としてもよい。
【００８２】
以上のように、実施の形態２に係る使用管理システムでは、他の画像表示装置２０，３０，４０に接続可能な画像表示装置５０は、使用者を識別する使用者識別部１４と、使用者識別部１４で識別された使用者の使用履歴を示すデータである使用履歴データを使用者毎に作成する制御部１６と、使用履歴データと使用者識別部１４で識別された使用者を特定する情報である使用者情報とを他の画像表示装置２０，３０，４０から受信する通信部１５と、使用履歴データと使用者情報に基づいて当該使用者による使用を制限するように自身または自身を含む画像表示装置２０，３０，４０を制御する使用制御部４とを備える。
【００８３】
したがって、実施の形態１の場合と同様の効果を、別途使用管理装置を設けることなく実現できるため、システム構成が簡単になり総合的なコストを低減することができる。
【００８４】
なお、本発明は、その発明の範囲内において、各実施の形態を自由に組み合わせたり、各実施の形態を適宜、変形、省略することが可能である。
【符号の説明】
【００８５】
１  使用管理装置、２  通信部、３  使用履歴記憶部、４  使用制御部、１０  画像表示部、１２  画像表示部、１４  使用者識別部、１５  通信部、１６  制御部、２０  画像表示部、２４  画像表示部、２６  使用者識別部、２７  通信部、２８  制御部、３０  画像表示部、３２  画像表示部、３５  使用者識別部、３６  通信部、３７  制御部、４０  画像表示部、４２  画像表示部、４５  使用者識別部、４６  通信部、４７  制御部、５０  画像表示装置。
【図１】
2017130864.tif 000003
【図２】
2017130864.tif 000004
【図３】
2017130864.tif 000005
【図４】
2017130864.tif 000006
【図５】
2017130864.tif 000007
【図６】
2017130864.tif 000008
【図７】
2017130864.tif 000009
【図８】
2017130864.tif 000010
【図９】
2017130864.tif 000011
【図１０】
2017130864.tif 000012
【図１１】
2017130864.tif 000013
【図１２】
2017130864.tif 000014
【図１３】
2017130864.tif 000015